(57)【要約】【課題】無線受信機を含む全体の大型化を回避しつつ、必要な長さを有するアンテナを内部に収容配置することができる新規な構造を備えた無線受信機能付電気接続箱を提供すること。【解決手段】ケース１２，１４内に無線受信回路１６が収容されてなる無線受信機能付電気接続箱１０において、被覆電線４０によって構成されて一端部が無線受信回路１６に接続されたアンテナ３８と、複数の樹脂突起３４ａ，３４ｂを含んで構成されたアンテナ保持部３６とを備え、アンテナ保持部３６の樹脂突起３４ａ，３４ｂにアンテナ３８を構成する被覆電線４０が巻き付けられて湾曲状態で設置固定されているようにした。【選択図】図１
2018133757.tif 000002
【特許請求の範囲】
【請求項１】
ケース内に無線受信回路が収容されてなる無線受信機能付電気接続箱において、
被覆電線によって構成されて一端部が前記無線受信回路に接続されたアンテナと、
複数の樹脂突起を含んで構成されたアンテナ保持部とを備え、
前記アンテナ保持部の前記樹脂突起に前記アンテナを構成する前記被覆電線が巻き付けられて湾曲状態で設置固定されている
ことを特徴とする無線受信機能付電気接続箱。
【請求項２】
布線絶縁板を有し、該布線絶縁板に形成された前記複数の樹脂突起によって前記アンテナ保持部が構成されている請求項１に記載の無線受信機能付電気接続箱。
【請求項３】
前記アンテナ保持部が前記ケースの内面に形成されている請求項１または２に記載の無線受信機能付電気接続箱。
【請求項４】
前記無線受信回路がプリント基板に設けられており、該プリント基板上に前記アンテナ保持部が形成された前記布線絶縁板が積層配置されている請求項１〜３の何れか１項に記載の無線受信機能付電気接続箱。
【請求項５】
前記アンテナの前記一端部にプレスフィット端子が設けられている一方、前記無線受信回路が前記プリント基板に設けられており、前記無線受信回路に接続されたスルーホールに対して前記プレスフィット端子が圧入されて接続されている請求項１〜４の何れか１項に記載の無線受信機能付電気接続箱。
【請求項６】
前記アンテナを構成する前記被覆電線がジグザグ状に屈曲された状態で前記アンテナ保持部に保持されており、前記アンテナの形状がメアンダ型とされている請求項１〜５の何れか１項に記載の無線受信機能付電気接続箱。
【発明の詳細な説明】
【技術分野】
【０００１】
本発明は、自動車用の電気接続箱に係り、特に、無線受信機能を有する無線受信機能付電気接続箱に関するものである。
【背景技術】
【０００２】
近年、自動車のドアの解錠および施錠を、キー穴にキーを差し込むことなく行えるリモートキーレスエントリシステムが広く採用されている。かかるシステムは、乗員が携帯する送信用のリモートキーや送受信用のスマートキーを用い、これらのキーから送信する信号を無線受信回路にアンテナが接続されて構成された無線受信機で受信し、受信した信号を無線受信機に接続された、ドアロック制御部を含むボディ用電子制御ユニットに送信して、ボディ用電子制御ユニットでドアロック機構を自動制御することにより、ドアの解錠および施錠を行っている。
【０００３】
このようなシステムを構成する１つの要素として、無線受信機能付電気接続箱が用いられており、例えば、特許第５０４４６９５号公報（特許文献１）の図１２に記載されているように、アンテナを備えた無線受信機が電気接続箱上に搭載されたものや、同じ特許文献１の図１３に記載されているように、アンテナを備えた無線受信回路が電気接続箱内に収容されたものが知られている。このようなシステムでは、アンテナの長さは、受信電波の波長λの少なくともλ／４以上（約２０〜２５ｃｍ）は必要であることから、無線受信機能付電気接続箱の大型化は避けられず、広い搭載スペースが必要とされていた。
【０００４】
そこで、かかる電気接続箱の大型化を回避するために、特許文献１の図１および図２に記載されているように、電気接続箱に収容する電子制御用基板の側縁の一部にアンテナを配置するのではなく、該基板の無線受信回路に一端部を接続した金属棒またはバスバーでアンテナを形成し、電気接続箱のケース外周壁の内面に沿ってアンテナを配置することにより、アンテナ長さを確保する構成が提案されている。かかる構成によれば、ケースの内面に沿った部位はデッドスペースとなっている場合が多いことから、電気接続箱の大型化を回避しつつ、他の基板の搭載部品との離隔距離を容易に確保することが可能となっていた。
【０００５】
しかしながら、最近では、より小型化への要求が強まっており、リモートキーレスエントリシステム用のアンテナを金属棒やバスバーを用いて構成することが困難となる場合もあった。それゆえ、かかるアンテナを、電気接続箱の内部にコンパクトに収容配置することができる電気接続箱を実現可能な新たな方法が求められている。
【先行技術文献】
【特許文献】
【０００６】
【特許文献１】特許第５０４４６９５号公報
【発明の概要】
【発明が解決しようとする課題】
【０００７】
本発明は、上述の如き事情を背景に為されたものであって、その解決課題は、無線受信機を含む全体の大型化を回避しつつ、必要な長さを有するアンテナを内部に収容配置することができる新規な構造を備えた無線受信機能付電気接続箱を提供することにある。
【課題を解決するための手段】
【０００８】
本発明の第一の態様は、ケース内に無線受信回路が収容されてなる無線受信機能付電気接続箱において、被覆電線によって構成されて一端部が前記無線受信回路に接続されたアンテナと、複数の樹脂突起を含んで構成されたアンテナ保持部とを備え、前記アンテナ保持部の前記樹脂突起に前記アンテナを構成する前記被覆電線が巻き付けられて湾曲状態で設置固定されていることを特徴とする。
【０００９】
本態様によれば、被覆電線によってアンテナが構成されており、アンテナ保持部を構成する複数の樹脂突起にアンテナを構成する被覆電線を巻き付けて湾曲状態で設置固定することによりアンテナが形成されている。それゆえ、従来の如き金属棒やバスバーを用いてアンテナを形成した場合に比して、被覆電線によってアンテナが形成されていることから、アンテナを構成する部材間あるいは他部材との間の絶縁を考慮して隙間を確保する必要がなく、かつ屈曲自在で任意の湾曲状態で、アンテナ保持部を構成する複数の樹脂突起に巻き付けて保持することが可能であることから、アンテナをコンパクトに収容することが可能となって、電気接続箱の大型化を回避しつつ、必要な長さを有するアンテナを電気接続箱の内部に収容配置することを有利に実現することが可能となっている。
【００１０】
本発明の第二の態様は、前記第一の態様に記載のものにおいて、布線絶縁板を有し、該布線絶縁板に形成された前記複数の樹脂突起によって前記アンテナ保持部が構成されているものである。
【００１１】
本態様によれば、アンテナ保持部を構成する複数の樹脂突起が、布線絶縁板に形成された樹脂突起を用いて構成することができる。このような従来から被覆電線の布線に用いられている布線絶縁板を用いることにより、アンテナ保持部を有利に構成することができる。さらに、電気接続箱内に布線回路が収容されており既に布線絶縁板を備えている場合には、かかる布線絶縁板の一部を利用してアンテナを形成することにより、無線機能付電気接続箱の一層の小型化を有利に実現することが可能となる。
【００１２】
本発明の第三の態様は、前記第一または第二の態様に記載のものにおいて、前記アンテナ保持部が前記ケースの内面に形成されているものである。
【００１３】
本態様によれば、アンテナ保持部が電気接続箱のケースの内面に形成されている。このように既存の電気接続箱のケースの内面にアンテナ保持部を形成することにより、新たにアンテナ保持部を形成する部材を必要とせず、しかも一般に使われていないケースの内面を有効利用することにより、電気接続箱の一層の小型化をより有利に実現することが可能となっている。
【００１４】
本発明の第四の態様は、前記第一乃至第三の何れか一つの態様に記載のものにおいて、前記無線受信回路がプリント基板に設けられており、該プリント基板上に前記アンテナ保持部が形成された前記布線絶縁板が積層配置されているものである。
【００１５】
本態様によれば、無線受信回路が設けられたプリント基板上に、アンテナ保持部が形成された布線絶縁板を積層配置して組み付けることができ、高密度な状態でケース内に収容配置することができ、電気接続箱の小型化に寄与できる。
【００１６】
本発明の第五の態様は、前記第一乃至第四の何れか一つの態様に記載のものにおいて、前記アンテナの前記一端部にプレスフィット端子が設けられている一方、前記無線受信回路が前記プリント基板に設けられており、前記無線受信回路に接続されたスルーホールに対して前記プレスフィット端子が圧入されて接続されているものである。
【００１７】
本態様によれば、アンテナの一端部にプレスフィット端子が設けられていることから、プリント基板に設けられた無線受信回路に対して、無線受信回路に接続されたスルーホールにプレスフィット端子を圧入するだけで、無線受信回路にアンテナを接続することが可能となる。これにより半田付けが困難な場合であっても容易にアンテナと無線受信回路の接続が可能となる。
【００１８】
本発明の第六の態様は、前記第一乃至第五の何れか一つの態様に記載のものにおいて、前記アンテナを構成する前記被覆電線がジグザグ状に屈曲された状態で前記アンテナ保持部に保持されており、前記アンテナの形状がメアンダ型とされているものである。
【００１９】
本態様によれば、アンテナの形状がメアンダ型とされている。かかるメアンダ型のアンテナは、被覆電線をジグザグ状に蛇行配線した形状を有しており、それゆえ狭い配設スペースにおいて、アンテナ全体の長さを稼ぐことができるようになっている。その結果、アンテナの配設スペースを減らして電気接続箱を小型化できるようになっている。
【発明の効果】
【００２０】
本発明によれば、被覆電線によってアンテナが構成されており、アンテナ保持部を構成する複数の樹脂突起にアンテナを構成する被覆電線を巻き付けて湾曲状態で設置固定することによりアンテナが形成されている。それゆえ、従来の如き金属棒やバスバーを用いてアンテナを形成した場合に比して、アンテナを構成する部材間あるいは他部材との間の絶縁を考慮して隙間を確保する必要がなく、かつ屈曲自在で任意の湾曲状態でアンテナ保持部に巻き付けて保持できることから、電気接続箱の大型化を回避しつつ、必要な長さを有するアンテナを電気接続箱の内部に収容配置することを有利に実現できる。
【図面の簡単な説明】
【００２１】
【図１】本発明の第一の実施形態としての無線受信機能付電気接続箱を示す斜視図であって、ケースのみを上下方向に分解した図。
【図２】図１におけるケースを組み付けた状態を示す全体斜視図。
【図３】図１におけるＩＩＩ−ＩＩＩ断面要部拡大図。
【図４】図１に示す布線絶縁板の底面図。
【図５】本発明の第二の実施形態としての無線受信機能付電気接続箱を示す斜視図であって、図１に相当する図。
【図６】本発明の第三の実施形態としての無線受信機能付電気接続箱を示す斜視図。
【発明を実施するための形態】
【００２２】
以下、本発明の実施形態について、図面を参照しつつ説明する。
【００２３】
図１〜４には、本発明の第一の実施形態としての無線受信機能付電気接続箱１０が、示されている。図１に示されているように、無線受信機能付電気接続箱１０は、例えばポリアミド（ＰＡ）、ポリカーボネート（ＰＣ）、ポリフタルアミド（ＰＰＡ）等の合成樹脂により射出成形等によって形成されたケースであるアッパケース１２とロアケース１４の間に、無線受信回路１６が設けられたプリント基板１８が収容されてなる構造とされている。なお、以下の説明において、特に断りの無い限り、上方とは、図１〜３中の上方、下方とは、図１〜３中の下方、前方とは、図１〜２中の左方、後方とは、図１〜２中の右方を言うものとする。また、理解を容易とするため、図１〜２では後述するプレスフィット端子４２を、また図２ではアッパケース１２とロアケース１４を、さらに図４では後述する被覆電線４０を、それぞれ仮想線で記載している。
【００２４】
図１〜２に示されているように、アッパケース１２およびロアケース１４は、互いに相手側に向けて開口する略矩形浅底の箱体形状を有している。そして、アッパケース１２とロアケース１４は、例えば、アッパケース１２に設けられた図示しない係止爪が、ロアケース１４の対応する箇所に設けられた図示しない係合枠に挿通されて係合されることにより、相互に組み付けられるようになっている。また、アッパケース１２あるいはロアケース１４の周壁には、周方向に離隔した適所に図示しないブラケット装着部が設けられており、車体側に設けられた図示しないブラケットが装着されて、無線受信機能付電気接続箱１０が車両の適所に装着固定されるようになっている。
【００２５】
一方、プリント基板１８は、図１に示されているように、ガラスエポキシ樹脂などの公知の絶縁材料で形成された略矩形の平板形状を有しており、プリント基板１８の後方側（図１中、右側）の略中央部には、ドアロック制御部２０を構成するＩＣチップ２２が実装されている。ドアロック制御部２０はまた、図示しないリモートキーやスマートキーからの信号を受信するための無線受信回路１６を備えている。無線受信回路１６はプリント配線によって構成されており、一端側がＩＣチップ２２に接続されかつ他端側がプリント基板１８の後方手前側に設けられたスルーホール２４に接続されている。かかるスルーホール２４は、プリント基板１８に対して略円形断面形状で貫通形成されており、スルーホール２４の内周面には全面に亘って図示しないめっき層が形成されていると共に、スルーホール２４の開口部の周囲にはフランジ状のランド部２８が設けられている。そして、無線受信回路１６が他端側においてランド部２８に接続されることにより、スルーホール２４の内周面に施された図示しないめっき層と無線受信回路１６が相互に接続されるようになっている。
【００２６】
加えて、図１〜２に示されているように、無線受信機能付電気接続箱１０は、アッパケース１２とロアケース１４の間に、布線絶縁板３０を有して構成されている。布線絶縁板３０は、略矩形平板形状とされており、電気絶縁性を備えた合成樹脂材料で形成されている。また、図４に示されているように、布線絶縁板３０の底面３２の一部の領域には、下方（図４中、紙面に垂直方向上方）に向かって略円形断面形状で突出する複数（本実施形態では２８個）の樹脂突起３４ａと略凸の字断面形状で突出する一対の樹脂突起３４ｂ，３４ｂが一体的に形成されている。そして、複数（本実施形態では２８個）の樹脂突起３４ａが、布線絶縁板３０の底面３２の後方手前側（図４中、右方下側）において、所定距離を離隔した状態で略１０行３列に整列して配設されている一方、後端部の手前側（図４中、右方下端側）において、一対の樹脂突起３４ｂ，３４ｂが所定距離を離隔した状態で対向配置されることにより、樹脂突起３４ａ，３４ｂが１０行３列に整列して配設されて、アンテナ保持部３６が構成されている。なお、図示は省略するが、布線絶縁板３０の底面３２の他の領域や表面３７には多数の樹脂突起が突設されて被覆電線４０が任意の回路形状に巻き付けられて布線回路が構成されている。かかる布線回路の任意の部位には、プリント基板１８やアッパケース１２，ロアケース１４を貫通してコネクタ等を構成する外部接続端子が圧接保持されるようになっている。
【００２７】
より詳細には、アンテナ保持部３６において、前後方向（図４中、上下方向）において隣接する樹脂突起３４ａ，３４ａ、３４ａ，３４ｂ、３４ｂ，３４ｂ間の離隔距離は、略一定寸法：ａとされている。そして、図４に示されているように、アンテナ保持部３６におけるかかる前後方向に隣接する樹脂突起３４ａ，３４ａ、３４ａ，３４ｂ、３４ｂ，３４ｂ間の隙間に対して、アンテナ３８を構成する被覆電線４０をジグザグ状に屈曲された状態でアンテナ保持部３６に保持することにより、被覆電線４０によってメアンダ型のアンテナ３８が構成されるようになっている。また、ここで、隣接する樹脂突起３４ａ，３４ａ、３４ａ，３４ｂ、３４ｂ，３４ｂ間の離隔距離：ａは、被覆電線４０の外径寸法：ｂよりも若干小さくなるように形成されていることから、かかる被覆電線４０は、樹脂突起３４ａ，３４ｂに巻き付けられて湾曲状態で設置固定されるようになっている。
【００２８】
ところで、メアンダ型のアンテナ３８は、下記の数１を満たすように構成されるようになっている。すなわち、数１より、アンテナ折り曲げ回数：ｎを大きくすることによりアンテナ幅：Ｗもしくはアンテナ折り曲げ時の長さ：Ｌを小さくすることが可能となることが分かる。それゆえ、被覆電線４０をジグザグ状に蛇行配線した形状によってアンテナ３８を構成しているアンテナ保持部３６の面積を狭くすることができるようになっているのである。
【００２９】
【数１】
2018133757.tif 000003
【００３０】
さらに、図１〜４に示されているように、アンテナ保持部３６の一対の樹脂突起３４ｂ，３４ｂ（図４参照）に対して、上方（図４中、紙面に垂直方向下方）からプレスフィット端子４２が取り付けられている（図１〜２参照）。かかるプレスフィット端子４２は、銅合金等の導電性に優れた金属材料で形成された略平板状の端子金具であって、先端部分が例えばニードルアイ型のプレスフィット部４４とされている一方、基端部分が圧接部４６とされている。より詳細には、プレスフィット部４４の幅方向の中央部には長手方向（図１〜２中、上下方向）に延びるニードルアイ状の貫通孔４８が設けられることにより、幅方向に対するばねが形成されるようになっている。一方、圧接部４６は、基端部分が二股に分岐されると共に端部が外方に向かって鉤状に屈曲されていることから、布線絶縁板３０の表面３７に形成された略矩形断面形状の貫通孔５０を挿通されて、一対の樹脂突起３４ｂ，３４ｂ間の隙間に配設されかつ固定されるようになっている（図３参照）。図３に示されているように、かかる状態において、圧接部４６の基端部分の二股に分岐された対向部分が、一対の樹脂突起３４ｂ，３４ｂ間の隙間に露出していると共に、対向部分以外の部分は一対の樹脂突起３４ｂ，３４ｂ内に収容されている。
【００３１】
そして、図３〜４に示されているように、このようにして圧接部４６が配設された一対の樹脂突起３４ｂ，３４ｂ間の隙間に対して、アンテナ３８を構成する被覆電線４０の一端部が押し込まれている。被覆電線４０は、銅等の導電性金属材料で形成された芯線５２の外周面を軟質ポリ塩化ビニル等の絶縁被覆５３で被覆した電線である。かかる被覆電線４０は、二股に分岐したプレスフィット端子４２の基端部分に形成された圧接部４６内に嵌め込まれることによって部分的に絶縁被覆５３が剥がされて、プレスフィット端子４２の圧接部４６に対して圧接接続されるようになっているのである。それゆえ、アンテナ３８を構成する被覆電線４０の一端部に芯線５２と圧接部４６が電気的に接続され、アンテナ３８の一端部にプレスフィット端子４２が設けられているのである。
【００３２】
このように被覆電線４０が布線されかつ被覆電線４０の一端部にプレスフィット端子４２が接続されている布線絶縁板３０に対して、図１に示されているように、上方から無線受信回路１６が設けられているプリント基板１８を載置する。より詳細には、無線受信回路１６の他端側に接続されているスルーホール２４に対して、布線絶縁板３０の貫通孔５０を通して突出するプレスフィット端子４２の先端部分に形成されたプレスフィット部４４が圧入されて接続されるようになっているのである。
【００３３】
図１〜２に示されているように、このようにプリント基板１８が載置された布線絶縁板３０を、アッパケース１２とロアケース１４の間に、収容配置することにより、本発明の無線受信機能付電気接続箱１０が完成される。より詳細には、先ず、上方に向かって開口するロアケース１４内にプリント基板１８が載置された布線絶縁板３０を収容配置する。布線絶縁板３０は必要に応じてねじ留め等の図示しない固定手段によってロアケース１４に対して固定されるようになっている。続いて、かかるロアケース１４の開口部をアッパケース１２によって覆蓋し、アッパケース１２とロアケース１４が図示しない係合手段によって相互に組み付けられるようになっている。
【００３４】
このような構造とされた本実施形態の無線受信機能付電気接続箱１０によれば、布線絶縁板３０の底面３２に形成されたアンテナ保持部３６において、樹脂突起３４ａ，３４ｂに対して被覆電線４０を巻き付けて湾曲状態で設置固定することによりアンテナ３８が構成されている。このように被覆電線４０によってアンテナ３８が構成されていることから、従来の如き金属棒やバスバーを用いてアンテナを形成した場合に比して、アンテナ３８を構成する部材間や他部材との間の絶縁を考慮して隙間を確保する必要がない。また、アンテナ３８を構成する被覆電線４０は屈曲自在であることから、アンテナ保持部３６を構成する樹脂突起３４ａ，３４ｂに対して任意の湾曲状態で巻き付けて設置固定することが可能となっている。それゆえ、アンテナ３８をコンパクトに形成することが可能となることから、無線受信機能付電気接続箱１０の大型化を回避しつつ、必要な長さを有するアンテナ３８を無線受信機能付電気接続箱１０の内部に収容配置することを有利に実現することができるようになっている。
【００３５】
さらに、本実施形態では、アンテナ３８を構成する被覆電線４０を巻き付けて設置固定するためのアンテナ保持部３６が、既存の布線回路を構成する布線絶縁板３０に設けられている。すなわち、従来から被覆電線４０の布線に用いられている布線絶縁板３０を用いることによって、アンテナ保持部３６を有利に構成することができるようになっている。しかも、本実施形態においては、無線受信機能付電気接続箱１０の内部に予め布線絶縁板３０が備えられていることから、かかる布線絶縁板３０の一部をアンテナ保持部３６としてアンテナ３８を構成することにより、無線受信機能付電気接続箱１０の一層の小型化を有利に実現することが可能となっている。
【００３６】
加えて、本実施形態では、アンテナ３８の形状がメアンダ型とされており、被覆電線４０をジグザグ状に蛇行配線した形状によってアンテナ３８が構成されている。それゆえ、アンテナ３８を被覆電線４０によって構成した利点を生かしつつ、アンテナ３８を配設するアンテナ保持部３６の面積を狭くすることができ、無線受信機能付電気接続箱１０のさらなる小型化を有利に実現することが可能となっている。また、アンテナ３８の一端部にプレスフィット端子４２が設けられており、かかるプレスフィット端子４２をプリント基板１８に設けられたスルーホール２４に圧入して接続することにより、スルーホール２４を介して無線受信回路１６に対してアンテナ３８を接続することができるようになっている。それゆえ、たとえ半田付けが困難な場合であっても、容易に無線受信回路１６に対してアンテナ３８を接続できる。
【００３７】
以上、本発明の実施形態について説明してきたが、かかる実施形態における具体的な記載によって、本発明は、何等限定されるものでない。例えば、上記第一の実施形態では、無線受信機能付電気接続箱１０内に既にある布線絶縁板３０の一部の領域をアンテナ保持部３６として利用することによりアンテナ３８が構成されていたが、図５に示す本発明の第二の実施形態としての無線受信機能付電気接続箱５４のように既存の布線絶縁板３０がない場合には、新たに布線絶縁板５６を設けてもよい。すなわち、新たに設けられた布線絶縁板５６は、上記第一の実施形態における布線絶縁板３０のアンテナ保持部３６の部分だけを切り出したものに相当し、底面３２ではなく表面５８にアンテナ保持部６０が設けられている。なお、アンテナ保持部６０では、一対の樹脂突起３４ｂ，３４ｂが後方手前側に形成されている。また、本実施形態では、理解を容易とするため、樹脂突起３４ａ，３４ｂを２列で記載している一方、アンテナ３８を構成する被覆電線４０を線状の仮想線で記載している。
【００３８】
本実施形態においても、上記第一の実施形態と同様にして、被覆電線４０が布線されかつ被覆電線４０の一端部にプレスフィット端子４２が接続されている布線絶縁板５６を構成することができる。そして、かかる布線絶縁板５６を上方からプリント基板１８に載置することにより、無線受信回路１６の他端側に接続されているスルーホール２４に対してプレスフィット端子４２の先端部分に形成されたプレスフィット部４４を圧入して接続することができるようになっている。この結果、プリント基板１８上にアンテナ保持部６０が表面５８に形成された布線絶縁板５６が積層配置されるようになっているのである。そして、このように布線絶縁板５６が載置されたプリント基板１８を、アッパケース１２とロアケース１４の間に、収容配置することにより、本発明の無線受信機能付電気接続箱５４が完成されるようになっているのである。本実施形態においても、無線受信回路１６が設けられたプリント基板１８上に、アンテナ保持部６０が形成された布線絶縁板５６を積層配置して組み付けることができることから、それらを高密度な状態でアッパケース１２とロアケース１４の間に収容配置することができ、無線受信機能付電気接続箱５４の小型化に寄与できる。
【００３９】
また、上記第一の実施形態では、無線受信機能付電気接続箱１０内に既にある布線絶縁板３０の一部をアンテナ保持部３６として利用することによりアンテナ３８が構成されていたが、図６に示す本発明の第三の実施形態としての無線受信機能付電気接続箱６２のように既存の布線絶縁板３０がない場合には、ロアケース１４の内面６４にアンテナ保持部６６を形成してもよい。すなわち、本実施形態では、プレスフィット端子４２が設けられていないことから、アンテナ保持部６６が樹脂突起３４ａのみによって構成されている一方、アンテナ３８を構成する被覆電線４０と無線受信回路１６との接続は、無線受信回路１６の他端側に接続されているパッド部６８に被覆電線４０の図示しない芯線を半田付けすることにより行われている。なお、本実施形態においても、理解を容易とするため、樹脂突起３４ａを２列で記載している一方、アンテナ３８を構成する被覆電線４０を線状の仮想線で記載している。
【００４０】
本実施形態では、無線受信回路１６が設けられたプリント基板１８を、内面６４にアンテナ保持部６６が設けられかつアンテナ保持部６６に被覆電線４０が布線されたロアケース１４に収容し、開口部をアッパケース１２によって覆蓋することにより、本発明の無線受信機能付電気接続箱６２が完成されるようになっている。本実施形態においては、既存のロアケース１４の内面６４にアンテナ保持部６６を形成することにより、新たにアンテナ保持部６６を形成する部材を必要とせず、しかも一般に使われていないロアケース１４の内面６４を有効利用していることから、無線受信機能付電気接続箱６２のさらなる小型化をより有利に実現することが可能となっている。なお、同様の構成をアッパケース１２の内面に設けることが可能であることは言うまでもない。また、既存の布線絶縁板３０がある場合には、ロアケース１４の内面６４のみならず既存の布線絶縁板３０にもアンテナ保持部を形成してもよい。これにより、無線受信機能付電気接続箱の内部に必要な長さを有するアンテナ３８をより一層コンパクトに収容配置することが可能となる。
【００４１】
加えて、上記実施形態では、アンテナ３８の形状は、被覆電線４０をジグザグ状に蛇行配線した形状を有するメアンダ型とされていたが、線状のダイポールアンテナやループ状のループアンテナ等の公知の任意の形状のアンテナが採用可能である。また、上記第一〜第二の実施形態では、無線受信回路１６とアンテナ３８が、プレスフィット端子４２を用いることによってハンダレスで接続されていたが、プレスフィット端子４２を半田付けすることによって無線受信回路１６とアンテナ３８を接続するようにしてもよい。また、アンテナ３８を構成する被覆電線４０の一端部に設けられるプレスフィット端子４２は、例示の実施形態のように圧接部４６を介して接続してもよく、あるいはプレスフィット端子の端部に芯線圧着部を設け芯線圧着部に被覆電線４０の芯線５２を圧着して接続するようにしてもよい。
【００４２】
また、上記実施形態では、リモートキーレスエントリシステムに用いられるリモートキーやスマートキーからの無線信号を受信可能な無線受信機能付電気接続箱１０，５４，６２を例示して説明を行ったが、本発明は、この他に例えばタイヤの空気圧センサからの無線信号等、任意の無線信号を受信可能な無線受信機能付電気接続箱として提供し得ることは勿論である。
【符号の説明】
【００４３】
１０，５４，６２：無線受信機能付電気接続箱、１２：アッパケース（ケース）、１４：ロアケース（ケース）、１６：無線受信回路、１８：プリント基板、２４：スルーホール、３０，５６：布線絶縁板、３４ａ，ｂ：樹脂突起、３６，６０，６６：アンテナ保持部、３８：アンテナ、４０：被覆電線、４２：プレスフィット端子、６４：内面
【図１】
2018133757.tif 000004
【図２】
2018133757.tif 000005
【図３】
2018133757.tif 000006
【図４】
2018133757.tif 000007
【図５】
2018133757.tif 000008
【図６】
2018133757.tif 000009